(57)【要約】【課題】  間欠発振回路が故障した場合、強制的にＦＡＮを駆動し電源装置の温度上昇を抑え安全性を確保すると共に、間欠発振回路の故障検知などを含む検知信号を制御チップ（ＣＰＵ）の信号ピンを増やさずに行なうものである。間欠動作回路の故障による温度上昇に対する安全性の確保を目的とする。【解決手段】  定常時には通常の電力を負荷に提供し、スタンバイ時には予め決められた周波数の予め決められたＤｕｔｙで間欠動作させた電力を負荷に提供する電源と、電源を冷却するためのファンと、電源の間欠動作及びファンの回転を制御する制御部とを有し、スタンバイ時に電源に間欠動作を指示してファンを停止するが、電源の間欠動作が検知されない場合にはファンを強制回転させる。更に、間欠動作の指示がある場合にファンの回転を検出すると、間欠動作を実行させる間欠動作回路の故障と判定して、故障を報知する。【選択図】    図１
2007189879.tif 000002
【特許請求の範囲】
【請求項１】
電源装置に予め決められた周波数の間欠動作をさせて、低負荷時の節電を実施する機器であって、
前記予め決められた周波数の間欠動作を指示している場合に、前記電源装置を冷却するファンの停止を指示する停止指示手段と、
前記電源装置が前記予め決められた周波数の間欠動作をしているか否かを判定する間欠動作判定手段と、
前記停止指示手段が予め決められた周波数の間欠動作を指示している場合であっても、前記間欠動作判定手段が予め決められた周波数の間欠動作をしていないと判定した場合に、前記ファンを回転させる強制回転手段とを有することを特徴とする機器。
【請求項２】
前記間欠動作判定手段は、前記予め決められた周波数の間欠動作の指示信号に対応して電源供給停止時に導通、電源供給時に非導通を繰り返すトランジスタの導通時間の積算に対応する値に基づいて、前記予め決められた周波数の間欠動作をしているか否かを判定することを特徴とする請求項１に記載の機器。
【請求項３】
前記強制回転手段は、前記ファンの停止を指示する停止信号を強制的に回転を指示する回転信号に反転する論理回路を有することを特徴とする請求項１に記載の機器。
【請求項４】
前記ファンの回転を検知する回転検知手段と、
前記停止指示手段のファン停止指示がある場合に、前記回転検知手段が前記ファンの回転を検知した場合に、間欠動作回路の故障であると判定する故障判定手段と、
該間欠動作回路の故障である旨を報知する報知手段とを更に有することを特徴とする請求項１に記載の機器。
【請求項５】
前記故障判定手段は、ファンの回転／停止指示信号とファンの回転／停止検知信号の組合せに対応付けて、間欠動作回路の故障を含む判定結果を記憶するテーブルを有することを特徴とする請求項４に記載の機器。
【請求項６】
前記間欠動作回路は、その故障が電源装置の通常動作に影響を与えないように構成され、前記間欠動作回路の故障であっても当該機器は正常に動作することを特徴とする請求項４に記載の機器。
【請求項７】
予め決められた機能を果たす構成要素であって、動作又は停止を指示する指示信号を受信し、動作又は停止を検知した検知信号を送信する構成要素を有する機器において、
前記指示信号が停止を指示している場合に、予め決められた信号により動作を指示するように前記指示信号を反転する論理素子を設け、
前記指示信号が停止を指示している時に、前記検知信号が動作を示すか停止を示すかに対応して、前記予め決められた信号の情報を取得することを特徴とする機器。
【請求項８】
前記構成要素はファンであり、前記予め決められた信号は該ファンのより冷却される電源装置における節電回路の動作／非動作を表わす信号であることを特徴とする請求項７に記載の機器。
【請求項９】
当該機器は画像形成装置であって、前記構成要素はファンであり、前記予め決められた信号は紙有無センサの出力信号であることを特徴とする請求項７に記載の機器。
【請求項１０】
前記電源装置は低圧電源装置であって、
交流入力電圧波形を整流するためのダイオードブリッジと、前記ダイオードブリッジにより整流された電圧を平滑する１次平滑コンデンサと、１次巻き線、補助巻き線、2次巻き線を有したトランスと、前記トランスの１次巻き線と前記平滑コンデンサにより平滑された直流電源との間に接続され、前記トランスの１次巻き線をスイッチングするスイッチング素子と、前記トランスの2次巻き線より発生した交流電圧を平滑する整流平滑部と、前記補助巻き線間より電力を供給され前記整流平滑部から出力される直流電圧に応じて前記スイッチング素子を制御する制御部と、前記１次平滑コンデンサから前記制御部に駆動開始時の電力を供給する起動抵抗と、前記１次巻き線に流れる電流を検出し予め決められた電流以上の電流が流れた場合前記スイッチング素子をターンオフする過電流保護回路と、前記過電流保護が予め決められた時間以上継続された場合、前記スイッチング素子を遮断すると共に前記制御回路を停止させる過負荷保護回路と、前記過負荷保護回路が動作した場合、前記制御回路の電源電圧が予め決められた電圧以下になるまで前記制御回路の停止状態を保持するラッチ回路と、前記ラッチ回路が動作した状態で、交流電源が切られた場合、前記制御部の電源に接続されている平滑コンデンサと、前期１次平滑コンデンサの電荷を前記１次コンデンサのマイナス端子へである１次側ＧＮＤへ放電するための放電抵抗を有する低圧電源と、前記低圧電源を冷却するＦＡＮと、前記低圧電源から供給される電力にて駆動されるシステムの制御を行なうためのＣＰＵであって、前記システムが定常状態にあるときは前記ＦＡＮをＯＮし、スタンバイ状態にあるときは前記ＦＡＮをＯＦＦさせる制御を行なうＣＰＵと、前記ＣＰＵから小電力時に出力されるパルスにて前記スイッチング素子を設定された周波数とＯＮ＿Ｄｕｔｙにて間欠動作させるスタンバイ間欠動作を行なう間欠動作回路と、前記ＦＡＮからＦＡＮの回転有無情報をロック検知信号として前記ＣＰＵへ送信するロック検知回路と、前記間欠動作回路の出力からスタンバイ間欠動作有無を検出する間欠動作検出回路と、前記間欠動作検出回路により間欠動作が行なわれていないことが検出されると前記ＦＡＮを強制的にＯＮさせる強制ＦＡＮ駆動回路とを有することを特徴とする請求項６又は８に記載の機器。
【請求項１１】
定常時には通常の電力を負荷に提供し、スタンバイ時には予め決められた周波数の予め決められたＤｕｔｙで間欠動作させた電力を負荷に提供する電源と、該電源を冷却するために回転するファンと、該電源の間欠動作及びファンの回転を制御する制御部とを有する電源装置の制御方法であって、
スタンバイ時に前記電源に間欠動作を指示する工程と、
スタンバイ時の間欠動作時に前記ファンを停止する工程と、
前記電源の間欠動作を検知する工程と、
前記電源の間欠動作が検知されない場合に、前記ファンを強制回転させる工程とを有することを特徴とする電源装置の制御方法。
【請求項１２】
前記間欠動作の指示がある場合に前記ファンの回転を検出すると、間欠動作を実行させる間欠動作回路の故障と判定する工程と、
判定された間欠動作回路の故障を報知する工程とを更に有することを特徴とする請求項１１に記載の電源装置の制御方法。
【発明の詳細な説明】
【技術分野】
【０００１】
本発明は電源の制御方法及び該電源を用いた機器に関する。特に、スタンバイ時に間欠発振を行うことで省エネルギー動作を行なっている低圧電源装置において、間欠発振回路が故障した際に安全性を確保すると共に異常時におけるユーザ対応を可能とする電源の制御方法及び該電源を用いた機器に関するものである。
【背景技術】
【０００２】
従来のフライバック方式の電源装置では、定常負荷で高効率になるように設計するため、スタンバイ時のような小電力時では電源効率が低くなってしまう。
【０００３】
そこで、特許文献１に示される電源装置では、スタンバイ時（特許文献１では、例えば蓄電中に相当する）に前記フライバック電源を設定された周波数とＯＮ＿Ｄｕｔｙとで間欠発振させ、小電力時でも高効率を維持できようにしている。
【０００４】
図９は、従来の電源装置におけるブロック図を説明する図である。
【０００５】
１は、電源装置２及び該電源装置２により駆動される装置全体の制御を行なっているＣＰＵである。２は電源装置である。３は電源装置２を冷却するＦＡＮであり、ＣＰＵ１からのＦＡＮ＿ＯＮ／ＯＦＦ信号４によりＯＮ／ＯＦＦを行なう。５はＦＡＮ３の回転有無情報であるロック信号であり、例えばＦＡＮ３の回転（ＯＮ）で“Ｈ”を出力し停止（ＯＦＦ）で“Ｌ”を出力して、ＦＡＮ３の故障をＣＰＵ１が検出するためのものである。６は電源装置２に接続される負荷であり、７は負荷６へ流れる負荷電流である。８は、スタンバイ時のような負荷が小さい時に、電源装置２を間欠発信させるためのスタンバイパルス信号である。
【０００６】
図１０は、前記図９で説明したブロック図の動作を説明するための詳細な回路図であり、部分共振型フライバック電源を例としたものである。
【０００７】
１０は商業ＡＣ電源である。１１はＡＣ入力電源１０の電圧を整流するダイオードブリッジであり、１２はダイオードブリッジ１１により整流された電圧を平滑する１次平滑コンデンサである。１３は１次電圧を２次電圧に変換する電源トランス１４の１次巻き線１５をスイッチングするＦＥＴであり、当該電源の制御を行なう電源制御部１６によりスイッチングのＯＮ／ＯＦＦタイミングを制御される。ここで、前記ＦＥＴ１３と電源制御部１６とを１つにしたパッケージを電源ＩＣ１７と呼ぶことにする。
【０００８】
ＦＥＴ１３に流れる電流は、１次巻き線１５からＦＥＴ１３のドレイン端子１８を経由し、電源制御部１６のＧＮＤ兼ソース端子１９を経由し、過電流を防止するための電流検出抵抗２０を経由して、１次平滑コンデンサ１２のマイナス端子へ流れる。電源ＩＣ１７のＧＮＤ端子兼ソース端子１９は、電源制御部１６のＧＮＤ基準であり、電源制御部１６の各端子は電源ＩＣ１７のＧＮＤ端子兼ソース端子１９を基準に動作を行なう。続いて、電流検出抵抗２０に流れた電流により、該電流検出抵抗２０両端に電圧が発生し、この電圧は、ノイズ除去用抵抗２２を経由し、電源制御部１６の過電流を検出するボトム検出／ＯＣＰ端子２１へ伝送される。又、２３は、ノイズ除去用抵抗２２と１次ローパスフィルタを構成するためのノイズ除去用コンデンサである。なお、ボトム検出／ＯＣＰ端子２１は、後述するＦＥＴ１３のターンＯＦＦによりＦＥＴ１３のドレインとソース間に発生する共振電圧波形の最小電圧を得るタイミングを検出する機能と兼用されている。
【０００９】
電源制御部１６は、電源立上げ直後、電源制御部１６に初期電力を供給する起動抵抗２４により起動する。ＦＥＴ１３が発振を開始すると２次側出力に電圧が発生して、電源制御部１６の電源端子２５に電力を供給する補助巻き線２６により、電力が連続的に電源制御部１６へ供給される。電源立ち下げ時は、１次平滑コンデンサ１２の電荷を放電抵抗６０により放電する。補助巻き線２６から出力される電圧は、ＦＥＴ１３のスイッチング時に発生するサージ電圧を軽減するためのサージ電圧軽減抵抗２７にて軽減され、直流電圧に整流する整流ダイオード２８にて整流され、平滑コンデンサ２９にて平滑される。
【００１０】
続いて、電源装置の共振動作、及び、ボトム点におけるＦＥＴ１３のターンＯＮ動作について説明する。ＦＥＴ１３がターンＯＦＦすると、ＦＥＴ１３のドレインとソース間電圧が、１次巻き線１５のインダクタンスと共振コンデンサ３０の容量とで共振動作する。共振波形から正電圧信号のみを波形成形するためにボトム検出信号用整流ダイオード３１にて整流する。そして、電源制御部１６へ過大電圧が印加されないように電圧を軽減するボトム検出信号保護用抵抗３２を設け、ＯＣＰ信号保護用ダイオード３３を経由して、電源制御部１６の共振電圧波形の最小値を検出するボトム検出／ＯＣＰ端子２１へ出力される。
【００１１】
電源制御部１６は、ボトム検出／ＯＣＰ端子２１へ入力された信号の正電圧から０Ｖになるタイミングを検出し、該タイミングから所定の時間経過した後にＦＥＴ１３をターンＯＮする。又、３４は、共振電圧波形の微小な遅延時間を設定するためのボトム点調整用コンデンサであり、ＦＥＴ１３のドレイン・ソース間に発生する電圧が最も小さくなるタイミングで、ＦＥＴ１３がターンＯＮするように調整するものである。電源トランス１４の２次巻き線３５より出力された２次電流は、２次電流を整流するための２次整流ダイオード３６にて整流され、２次平滑コンデンサ３７にて平滑される。
【００１２】
続いて、電源制御部１６の動作について説明する。３８は、２次側の出力電圧の誤差量を負帰還するための電圧制御オペアンプである。２次側電圧は、２次側電圧分圧用抵抗３９により分圧され２次側電圧の基準電圧を生成する基準電圧ツェナーダイオード４０の電圧と比較される。なお、前記基準電圧ツェナーダイオード４０は、バイアス用抵抗４１によりバイアス電流が供給され、一定電圧を発生する。４２、４３は、位相補償用の抵抗とコンデンサであり、４４は前記電圧制御オペアンプの利得を調整するための利得調整用抵抗である。４５は、２次側の電圧誤差量を１次側へ伝達するためのフォトカプラであり、前記電圧制御オペアンプ３８の出力電圧に反比例した電流が前記フォトカプラ４５の発光ダイオードに流れ、前記発光ダイオードの光をフォトトランジスタが受け、１次側へ前記誤差量を伝達する。前記フォトトランジスタから出力される電流は、前記電流量を制限するためのフォトカプラ電流制限抵抗４６を経由し、前記誤差量は前記電源制御部１６のＦＢ端子４７へ送信される。又、４８、４９は、１次側の位相補償用抵抗とコンデンサである。
【００１３】
続いて、過負荷保護回路の説明をする。２次側の出力端子が短絡した場合、２次側電流に比例した電流が、前記電流検出抵抗２０に流れ、所定の電流に到達すると強制的に前記ＦＥＴ１３はターンオフする。そして、前記電源トランス１４のフライバック動作が終了すると再び前記ＦＥＴ１３はターンオンする。前記電源制御部１３は、前記過電流検出による前記ＦＥＴ１３の強制ＯＦＦ動作を連続的に行なっていると過負荷状態と認識し、過負荷保護機能が動作する。具体的には、過負荷検出用端子５０から電流が過負荷検出用コンデンサ５１に流れて前記過負荷検出用コンデンサ５１の両端の電圧が所定の電圧に達すると、前記電源制御部１６は前記電源ＩＣ１７の発振を停止させる。
【００１４】
続いて、熱対策回路と省エネルギー制御回路に関して説明する。３は、前記電源装置２の冷却を行なうＦＡＮであり、前記ＦＡＮ＿ＯＮ／ＯＦＦ信号４により前記ＦＡＮをＯＮ／ＯＦＦする。前記ＦＡＮ３への駆動電流は、ＦＡＮ駆動用トランジスタ５２、５３により供給される。又、５４は、前記ＦＡＮ駆動用トランジスタ５２のベース抵抗であり、５５は前記ＦＡＮ駆動用トランジスタ５３のベースバイアス用抵抗である。又、５６は前記ＦＡＮ３がターンオフした時に発生する逆起電圧を回生するための回生ダイオードである。前記ＦＡＮ３は、ＯＮ状態にもかかわらず回転していないことを検知すると前記ロック信号５により異常状態を前記ＣＰＵ１へ出力する。前記ＦＡＮ３は、通常状態では前記電源の冷却を行なうためにＯＮ状態になり、スタンバイ時には省エネルギー化を行なうためＯＦＦ状態となる。
【００１５】
又、電源装置２は、通常時の効率を向上させるためにスタンバイ時の効率は低くなってしまう。そこで、一般的にスタンバイ状態では前記電源装置２を間欠発振させ、瞬時的にＯＮのタイミングでは負荷が大きな状態にし、ＯＦＦのタイミングでは前記ＦＥＴの発振を停止させることで、高効率化を行なっている。具体的には、前記スタンバイパルス信号８により、断続的に前記フォトカプラ４５の電流を強制的に流して前記ＦＥＴ１３をＯＦＦさせる。前記スタンバイパルス信号８の周波数とＤｕｔｙとは予め設定された値で、前記電源装置２で駆動される機器が動作可能な値とする。又、５７は前記フォトカプラ４５の電流を強制的に流すフォトカプラ強制駆動用トランジスタであり、５８は、前記フォトカプラ強制駆動用トランジスタ５７のベース抵抗であり、５９はフォトカプラ強制駆動用トランジスタ５７に流れる電流を制限するフォトカプラ強制駆動用トランジスタ電流制限抵抗である。
【００１６】
以上説明したように、従来の電源装置では、通常時は前記電源装置を冷却するためにＦＡＮを回転させ、スタンバイ時は省エネルギー化を図るために前記ＦＡＮをＯＦＦさせ、かつ、前記電源装置を間欠発振させる制御を行なっている。
【特許文献１】特開2001-037219公報
【発明の開示】
【発明が解決しようとする課題】
【００１７】
しかしながら、上記従来例では以下に示す問題点があった。
【００１８】
スタンバイ状態では、省エネルギー化を行なうために電源装置冷却用のＦＡＮをＯＦＦさせる。しかし、前記電源装置の間欠発振を行なう回路が故障した場合、前記電源装置の温度が上昇し素子の温度に対する安全性のマージンが減少する問題がある。
【００１９】
本発明は、上記従来技術の問題点に鑑み、前記間欠発振させる回路が故障した場合でも簡単な構成で安全性を確保し、ユーザへ故障の報知をする手段を提供するものであり、第１の目的とするところは、間欠発振回路が故障した場合、強制的にＦＡＮを駆動し電源装置の温度上昇を抑え安全性を確保することである。
【００２０】
第２の目的とするところは、間欠発振回路が故障したことをユーザへ報知し迅速に故障修理を促すものである。
【００２１】
第３の目的とするところは、間欠発振回路の故障検知をしてもプリント動作を継続し、ユーザへの煩わしさを軽減するものである。
【００２２】
第４の目的とするところは、更に技術範囲を拡大して本発明を適用し、間欠発振回路の故障検知などを含む検知信号を制御チップ（ＣＰＵ）の信号ピンを増やさずに行なうものである。
【課題を解決するための手段】
【００２３】
上記目的を達成するために、本発明の機器は、電源装置に予め決められた周波数の間欠動作をさせて、低負荷時の節電を実施する機器であって、前記予め決められた周波数の間欠動作を指示している場合に、前記電源装置を冷却するファンの停止を指示する停止指示手段と、前記電源装置が前記予め決められた周波数の間欠動作をしているか否かを判定する間欠動作判定手段と、前記停止指示手段が予め決められた周波数の間欠動作を指示している場合であっても、前記間欠動作判定手段が予め決められた周波数の間欠動作をしていないと判定した場合に、前記ファンを回転させる強制回転手段とを有することを特徴。
【００２４】
ここで、前記間欠動作判定手段は、前記予め決められた周波数の間欠動作の指示信号に対応して電源供給停止時に導通、電源供給時に非導通を繰り返すトランジスタの導通時間の積算に対応する値に基づいて、前記予め決められた周波数の間欠動作をしているか否かを判定する。また、前記強制回転手段は、前記ファンの停止を指示する停止信号を強制的に回転を指示する回転信号に反転する論理回路を有する。また、前記ファンの回転を検知する回転検知手段と、前記停止指示手段のファン停止指示がある場合に、前記回転検知手段が前記ファンの回転を検知した場合に、間欠動作回路の故障であると判定する故障判定手段と、該間欠動作回路の故障である旨を報知する報知手段とを更に有する。また、前記故障判定手段は、ファンの回転／停止指示信号とファンの回転／停止検知信号の組合せに対応付けて、間欠動作回路の故障を含む判定結果を記憶するテーブルを有する。また、前記間欠動作回路は、その故障が電源装置の通常動作に影響を与えないように構成され、前記間欠動作回路の故障であっても当該機器は正常に動作する。
【００２５】
又、本発明の機器は、予め決められた機能を果たす構成要素であって、動作又は停止を指示する指示信号を受信し、動作又は停止を検知した検知信号を送信する構成要素を有する機器において、前記指示信号が停止を指示している場合に、予め決められた信号により動作を指示するように前記指示信号を反転する論理素子を設け、前記指示信号が停止を指示している時に、前記検知信号が動作を示すか停止を示すかに対応して、前記予め決められた信号の情報を取得することを特徴とする。
【００２６】
ここで、前記構成要素はファンであり、前記予め決められた信号は該ファンのより冷却される電源装置における節電回路の動作／非動作を表わす信号である。また、当該機器は画像形成装置であって、前記構成要素はファンであり、前記予め決められた信号は紙有無センサの出力信号である。また、前記電源装置は低圧電源装置であって、交流入力電圧波形を整流するためのダイオードブリッジと、前記ダイオードブリッジにより整流された電圧を平滑する１次平滑コンデンサと、１次巻き線、補助巻き線、2次巻き線を有したトランスと、前記トランスの１次巻き線と前記平滑コンデンサにより平滑された直流電源との間に接続され、前記トランスの１次巻き線をスイッチングするスイッチング素子と、前記トランスの2次巻き線より発生した交流電圧を平滑する整流平滑部と、前記補助巻き線間より電力を供給され前記整流平滑部から出力される直流電圧に応じて前記スイッチング素子を制御する制御部と、前記１次平滑コンデンサから前記制御部に駆動開始時の電力を供給する起動抵抗と、前記１次巻き線に流れる電流を検出し予め決められた電流以上の電流が流れた場合前記スイッチング素子をターンオフする過電流保護回路と、前記過電流保護が予め決められた時間以上継続された場合、前記スイッチング素子を遮断すると共に前記制御回路を停止させる過負荷保護回路と、前記過負荷保護回路が動作した場合、前記制御回路の電源電圧が予め決められた電圧以下になるまで前記制御回路の停止状態を保持するラッチ回路と、前記ラッチ回路が動作した状態で、交流電源が切られた場合、前記制御部の電源に接続されている平滑コンデンサと、前期１次平滑コンデンサの電荷を前記１次コンデンサのマイナス端子へである１次側ＧＮＤへ放電するための放電抵抗を有する低圧電源と、前記低圧電源を冷却するＦＡＮと、前記低圧電源から供給される電力にて駆動されるシステムの制御を行なうためのＣＰＵであって、前記システムが定常状態にあるときは前記ＦＡＮをＯＮし、スタンバイ状態にあるときは前記ＦＡＮをＯＦＦさせる制御を行なうＣＰＵと、前記ＣＰＵから小電力時に出力されるパルスにて前記スイッチング素子を設定された周波数とＯＮ＿Ｄｕｔｙにて間欠動作させるスタンバイ間欠動作を行なう間欠動作回路と、前記ＦＡＮからＦＡＮの回転有無情報をロック検知信号として前記ＣＰＵへ送信するロック検知回路と、前記間欠動作回路の出力からスタンバイ間欠動作有無を検出する間欠動作検出回路と、前記間欠動作検出回路により間欠動作が行なわれていないことが検出されると前記ＦＡＮを強制的にＯＮさせる強制ＦＡＮ駆動回路とを有する。
【００２７】
又、本発明の電源装置の制御方法は、定常時には通常の電力を負荷に提供し、スタンバイ時には予め決められた周波数の予め決められたＤｕｔｙで間欠動作させた電力を負荷に提供する電源と、該電源を冷却するために回転するファンと、該電源の間欠動作及びファンの回転を制御する制御部とを有する電源装置の制御方法であって、スタンバイ時に前記電源に間欠動作を指示する工程と、スタンバイ時の間欠動作時に前記ファンを停止する工程と、前記電源の間欠動作を検知する工程と、前記電源の間欠動作が検知されない場合に、前記ファンを強制回転させる工程とを有することを特徴とする。ここで、前記間欠動作の指示がある場合に前記ファンの回転を検出すると、間欠動作を実行させる間欠動作回路の故障と判定する工程と、判定された間欠動作回路の故障を報知する工程とを更に有する。
【発明の効果】
【００２８】
以上説明したように、本発明によれば、間欠発振回路が故障した場合、強制的にＦＡＮを駆動し電源装置の温度上昇を抑え安全性を確保できる。
【００２９】
又、間欠発振回路が故障したことをユーザへ報知し迅速に故障修理を促すことができる。
【００３０】
又、間欠発振回路の故障検知をしてもプリント動作を継続し、ユーザへの煩わしさを軽減することができる。
【００３１】
更に、技術範囲を拡大して本発明を適用すれば、間欠発振回路の故障検知などを含む検知信号を制御チップ（ＣＰＵ）の信号ピンを増やさずに行なうことができる。
【発明を実施するための最良の形態】
【００３２】
以下、本発明の実施形態例を図面を参照して詳細に説明する。
【００３３】
＜本実施形態の電源制御方法を実現する構成例＞
（概略ブロック構成例）
図１は、本実施形態の電源制御方法を実現するブロック構成例を説明する図である。基本的な接続は図９の従来例と同じであるため、本実施形態で変更及び追加した内容に関して説明する。
【００３４】
７０は、前記電源装置２の間欠発振状態を出力する間欠発振検出信号であり、間欠状態の時は“Ｌ”を出力し間欠状態ではない時は“Ｈ”を出力する。続いて、前記間欠発振検出信号７０はＯＲ回路７１に入力され、前記間欠発振検出信号７０により間欠発振がされていないことを検出した場合、前記ＦＡＮ＿ＯＮ／ＯＦＦ信号４の状態にかかわらず“Ｈ”を出力し、強制的にＦＡＮ３をＯＮさせる。
【００３５】
（詳細回路例）
図２は、本実施形態の詳細な回路例を示す図である。
【００３６】
基本的な構成は図１０の従来例と同じであるため、本実施形態で変更及び追加した内容に関して説明する。
【００３７】
まず、上述した前記間欠発振検出信号７０を生成する回路の説明を行なう。前記フォトカプラ強制駆動用トランジス５７は、間欠発振を行なっていない場合、ＯＦＦ状態にある。又、前記フォトカプラ４５のフォトダイオードは制御状態にあるためバイアス電流が流れており、ＯＮ状態にある。よって、前記フォトカプラ強制駆動用トランジス５７のコレクタ電圧は、２次側の出力電圧から前記フォトダイオードの電位差Ｖｆだけ引いた電圧となる。一方、前記間欠動作を行なっている場合、前記スタンバイパルス信号８が“Ｈ”の時と“Ｌ”の時がある。“Ｈ”の時は前記フォトカプラ強制駆動用トランジス５７はＯＮ状態であり、前述したように前記フォトカプラ強制駆動用トランジス５７のコレクタ電圧は、０Ｖとなる。“Ｌ”の時は、前記フォトカプラ強制駆動用トランジス５７はＯＦＦ状態であり前記フォトカプラ強制駆動用トランジス５７のコレクタ電圧は、２次側の出力電圧から前記フォトダイオードのＶｆだけ引いた電圧となる。よって、前記スタンバイパルス信号８に従って、前記フォトカプラ強制駆動用トランジス５７のコレクタ電圧は矩形波を出力する。
【００３８】
前記フォトカプラ強制駆動用トランジス５７のコレクタ電圧をローパスフィルタで積分することにより、前記間欠発振の有無で電圧の差異のある信号を得る。前記ローパスフィルタの抵抗とコンデンサをローパスフィルタ抵抗７２、ローパスフィルタコンデンサ７３と呼ぶことにする。前記ローパスフィルタの出力信号は、設定されたしきい値電圧７４と比較するためにコンパレータ７５へ入力される。前記しきい値電圧は、前記スタンバイパルス８の有無により発生する前記ローパスフィルタの出力電圧の電圧差異を識別可能な値に設定する。ここでは、前記スタンバイパルス８が出力されていない場合は前記コンパレータの出力が“Ｈ”、逆に出力されている場合“Ｌ”になるように設定する。
【００３９】
前記コンパレータ７５の出力は前記ＯＲ回路７１に入力される。ＯＲ回路７１は論理和であるため、いずれかの入力が“Ｈ”であると他の入力の状態にかかわらず出力は“Ｈ”となる。つまり、前記スタンバイパルス信号８が出力されていない状態では、前記ＦＡＮ＿ＯＮ／ＯＦＦ信号４の状態にかかわらず前記ＦＡＮ駆動用トランジスタ５２をＯＮさせる動作を行なう。回路構成において、従来例と異なる箇所は以上である。
【００４０】
続いて、間欠発振回路故障を検出するメカニズムを説明する。間欠発振は前述したように前記スタンバイパルス信号８がフォトカプラ強制駆動用トランジスタのベース抵抗５８を経由しフォトカプラ強制駆動用トランジスタ５７をＯＮ／ＯＦＦさせ、前記電源装置２を間欠発振させている。つまり、間欠発振を行なう回路部品は、フォトカプラ強制駆動用トランジスタ５７とフォトカプラ強制駆動用トランジスタのベース抵抗５８である。何らかの原因により前記２つの回路部品が故障したり前記２つの回路部品周辺の基板パターンが切断された場合、前記間欠発振を行なうことが出来なくなる。前記間欠発振動作を行なう目的はスタンバイ時など、２次側負荷が低い場合の電源効率向上であり、さらに、前記２次側負荷を低減するため、前期ＦＡＮ３もＯＦＦさせる制御を行なっている。スタンバイ時に前記ＦＡＮ３をＯＦＦさせるため、もし、前記間欠発振を行なう回路が故障していた場合前記電源装置２の効率は向上せず、更に前記ＦＡＮ３がＯＦＦのため、前記電源装置の温度は上昇してしまう。しかし、前記図２の回路図で説明したように間欠発振していない場合に前記ＦＡＮ３を強制ＯＮさせるため、前記電源装置の温度上昇は抑えられ、前記電源装置２の信頼性が向上する。
【００４１】
＜本実施形態の電源制御を有する装置の制御部の構成例＞
図３Ａは、本実施形態の電源制御を有する装置の構成例を示すブロック図である。尚、図３Ａでは、本電源制御をするＣＰＵ１を含む装置の制御部として図示するが、ＣＰＵ１と装置の制御部とが通信接続されて分散制御を行なってもよい。分散制御の場合は、装置の制御部からＣＰＵ１に電源の通常制御か／スタンバイ制御かを指示するコマンドなどを送り、ＣＰＵ１から装置の制御部にＦＡＮロック信号などのステータスを返すことになる。又、図３Ａでは、本実施形態の動作の説明に必要な構成要素のみが図示されている。
【００４２】
図３Ａで、２００は本実施形態の装置を制御する演算制御用のＣＰＵである。尚、ＣＰＵ２００はＣＰＵ１と兼用でも、別途に設けられてもよい。２０１は工程データ２０１ａや固定プログラム２０１ｂを格納するＲＯＭである。本実施形態の電源制御プログラムも固定であればＲＯＭ２０１に格納されていてもよい。２０３はＣＰＵ２００がデータやプログラムの一時記憶に使用するＲＡＭである。ＲＡＭ２０３は、データ記憶領域とプログラムロード領域を含む。データ記憶領域には、当該装置の電源ＯＮ／ＯＦＦ状態を記憶するフラグ２０３ａ、装置が通常動作かスタンバイ（節電）動作かを記憶するフラグ２０３ｂを有する。尚、これらフラグ２０３ａ，２０３ｂは電源が１つであれば１つ、電源が複数個あれば複数存在する。又、装置（特に電源）冷却用のＦＡＮ１〜ｎ（ｎは整数）のＯＮ／ＯＦＦを記憶するフラグ２０３ｃ、ＦＡＮ１〜ｎが回転か／停止かのロック状態を記憶するフラグ２０３ｄを有する。更に、フラグ２０３ｃの状態とフラグ２０３ｄの状態とで決まるステータスからエラーを判別するための、図３Ｂや図５に示すステータス／エラー・テーブル２０３ｅ、スタンバイ時に電源を間欠発振させる信号のための周波数・Ｄｕｔｙ比を記憶する領域２０３ｆ、更に後述の画像形成装置への適用例で使用される紙有無・フラグ２０３ｇなどを有する。
【００４３】
２０４は、ディスクなどの外部記憶部であり、データ記憶領域とプログラム記憶領域とを含む。データ記憶領域は、フラグ２０３ｃの状態とフラグ２０３ｄの状態とで決まるステータスからエラーを判別するための、図３Ｂや図５に示すステータス／エラー・テーブル２０４ａ、スタンバイ時に電源を間欠発振させる信号のための周波数・Ｄｕｔｙ比を記憶する領域２０４ｂを有する。又、プログラム記憶領域は、当該装置の動作制御手順を示す装置動作制御プログラム２０４ｃ、本実施形態の電源制御手順を示す電源制御ルーチン２０４ｄ、本実施形態のエラー検出手順を示すエラー検出ルーチン２０４ｅを含む。
【００４４】
２０５は、外部からの入力信号をインタフェースする入力インタフェースであり、例えば、当該装置の電源ＯＮ／ＯＦＦスイッチなどを含む操作部２０５ａ、本例のＦＡＮロックセンサを含む各種センサ２０５ｂが接続される。一方、２０６は、外部への出力信号をインタフェースする出力インタフェースであり、例えば、当該装置のエラー状態などを表示する表示部２０６ａ、本例のＦＡＮ＿ＯＮ／ＯＦＦ信号やスタンバイパルス信号などを含む各種制御信号２０６ｂが接続される。
【００４５】
図３Ｂは、上記動作状態を考慮し前記間欠動作回路の故障を検出するための論理を示した図であり、図３Ａのステータス／エラー・テーブル２０３ｅ，２０４ａに相当する。
【００４６】
ステータス１は、前記ＦＡＮ３を停止し、間欠発振動作を行なっている状態である。又、前記ロック信号５は“Ｌ”でありＦＡＮが停止していることを示す。この状態は、正常と判断する。
【００４７】
ステータス２は、前記ＦＡＮ３を駆動させているにもかかわらず、前記ロック信号５が“Ｌ”のため、ＦＡＮが回転していない状態である。この状態は、ＦＡＮ故障と判断する。
【００４８】
ステータス３は、前記ＦＡＮ３を停止しているにもかかわらず、前記ロック信号５が“Ｈ”つまりＦＡＮが回転していることを示しているため、間欠発振回路故障と判断する。
【００４９】
ステータス４は、前記ＦＡＮ３を駆動し前記ロック信号５が“Ｈ”であり、ＦＡＮが正常駆動していることを示し、正常動作と判断する。
【００５０】
前記ステータス３の状態になった場合、前記ＣＰＵ１は、フォトカプラ強制駆動用トランジスタ５７、前記フォトカプラ強制駆動用トランジスタのベース抵抗５８の故障、及び、周辺のパターンが切断したものと判断する。そして、前記電源装置で駆動する機器に接続されている表示部２０６ａに故障の旨を表示しユーザへ通知を行なう。ユーザへ通知を行なうことにより、市場における迅速な故障対応が図れサービス性が向上する。又、前記間欠発振回路が故障したとしても強制的に前記ＦＡＮ３が駆動しているため、前記電源装置２の安全性を損なうわけではない。よって、上記状態でも前記電源装置２に接続されている機器を正常動作させて問題は無い。
【００５１】
尚、図３Ｂの説明では、ＦＡＮ＿ＯＮ／ＯＦＦ信号とＦＡＮロック信号とから、ＦＡＮの故障や間欠発振回路の故障を判定するという関連部分の判定を例に説明したが、かかる構成はＦＡＮ＿ＯＮ／ＯＦＦ信号とＦＡＮロック信号とから直接に関連のない間欠発振回路の故障の情報を伝達可能であるという技術思想、更に有る機能部品の制御信号と検知信号との組合せを利用することで他の情報を伝達可能にする技術として拡張か可能である。このような、技術思想の拡張から以下の他の適用例が想到される。
【００５２】
＜本実施形態の電源制御を有する装置の制御部の動作手順例＞
図３Ａの構成例における、制御部の動作手順例を以下に説明する。
【００５３】
図３Ｃに、本実施形態の電源制御を有する装置の制御部の動作手順例のフローチャートを示す。尚、かかるフローチャートは装置の制御部の構成に従っているので、各制御がシリアルに行われ、明確に図３Ａのようにルーチンが分離できていない。一方、上述のように装置が分散制御を行なっている場合は、装置制御と電源制御は互いに通信で情報を交換しながら並列に動作することになり、より明瞭に図３Ａのようにルーチンが分離できる。
【００５４】
まず、ステップＳ３１では電源ＯＮ／ＯＦＦスイッチで電源ＯＮされたか否かが判定される。電源ＯＮされるとステップＳ３２に進んで、電源ＯＮの処理と共にＦＡＮが回転（ＯＮ）される。
【００５５】
次に、ステップＳ３３で、当該装置を通常動作させるか／スタンバイ（節電）動作させるかを判定する。通常動作であればステップＳ３４に進んで、通常処理（詳細は説明せず）を実施する。スタンバイ動作であればステップＳ３５に進んで、電源を間欠発振させて節電するためのスタンバイパルス信号を出力して、少なくとも電源用のＦＡＮをＯＦＦとする。尚、通常動作／スタンバイ動作の判定は、オペレータの操作に基づいてもよいし、当該装置が所定時間の間、通常動作をしなかった場合を検出するものでもよく、装置により種々の判定ができる。
【００５６】
次に、ステップＳ３６では当該装置にエラー状態が有るか否かを判定する。エラー状態があれば、ステップＳ３７でその旨を表示部２０６ａに表示する。かかるエラー状態の判定の一例を図３Ｂを参照して既に説明したが、ステップＳ３６でのエラー状態の判定は図３Ｂの例に限定されるものではない。
【００５７】
ステップＳ３８では、電源ＯＮ／ＯＦＦスイッチで電源ＯＦＦされたか否かが判定される。電源ＯＦＦでなければステップＳ３３に戻って、処理が繰り返される。電源ＯＦＦであれば終了する。
【００５８】
尚、本実施形態では前記間欠発振検出をフォトカプラ強制駆動用トランジスタ５７のコレクタ電圧から行なったが、別の間欠発振動作を行なっている箇所の電圧から行なっても構わない。
【００５９】
＜本実施形態の電源制御方法を拡張する構成例＞
本拡張例は、複数の電源ユニットが存在し、其々に冷却ＦＡＮが設けられている例に関するものである。１つの電源装置に関しての回路構成は上記実施形態と同じであるため説明を省略する。本拡張例では、複数の電源ユニットが３つある例を用いて説明する。
【００６０】
（概略ブロック構成例）
図４は、本実施形態の電源制御方法を拡張する構成例を示すブロック図である。
【００６１】
１は、本実施形態にかかる各電源装置及び前記電源装置により駆動される装置全体の制御を行なっているＣＰＵである。２−１、２−２，２−３は、前記各電源装置である。３−１、３−２、３−３は、前記各電源装置を冷却するＦＡＮであり、前記ＣＰＵ１から出力される各ＦＡＮ＿ＯＮ／ＯＦＦ信号４−１、４−２、４−３によりＯＮ／ＯＦＦを行なう。５−１、５−２、５−３は、前記ＦＡＮ３−１、３−２、３−３の各回転有無情報であるロック信号であり、回転（ＯＮ）で“Ｈ”、停止（ＯＦＦ）で“Ｌ”を出力する。６−１、６−２、６−３は、前記電源装置２−１、２−２、２−３に其々接続される負荷であり、７−１、７−２、７−３は、前記負荷６−１、６−２、６−３へ其々流れる負荷電流である。８−１、８−２、８−３は、スタンバイ時の様な前記負荷が小さい時に前記電源装置２−１、２−２、２−３を間欠発信させるためのスタンバイパルス信号である。
【００６２】
尚、ＣＰＵ１の構成は、電源ＯＮ／ＯＦＦ状態を記憶するフラグ２０３ａ、装置が通常動作かスタンバイ（節電）動作かを記憶するフラグ２０３ｂが、電源の数有るだけで、図３Ａと同様である。
【００６３】
図５は、動作状態を考慮し前記間欠動作回路の故障を検出するための論理を示した図であり、図３Ｂと同様、図３Ａのステータス／エラー・テーブル２０３ｅ，２０４ａに相当する。
【００６４】
ステータス１は、前記ＦＡＮ３−１を停止し、間欠発振動作を行なっている状態である。又、前記ロック信号５−１は“Ｌ”でありＦＡＮが停止していることを示す。この状態は、前記電源装置２−１は正常と判断する。
【００６５】
ステータス２は、前記ＦＡＮ３−１を駆動させているにもかかわらず、前記ロック信号５−１が“Ｌ”のため、前記ＦＡＮ３−１が回転していない状態である。この状態は、前記ＦＡＮ３−１は故障と判断する。
【００６６】
ステータス３は、前記ＦＡＮ３−１を停止しているにもかかわらず、前記ロック信号５−１が“Ｈ”つまり前記ＦＡＮ３−１が回転していることを示しているため、前記電源装置２−１の間欠発振回路が故障していると判断する。
【００６７】
ステータス４は、前記ＦＡＮ３−１を駆動し前記ロック信号５−１が“Ｈ”であり、前記ＦＡＮ３−１が正常駆動していることを示し、前記電源装置２−１は正常動作と判断する。
【００６８】
ステータス５は、前記ＦＡＮ３−２を停止し、間欠発振動作を行なっている状態である。又、前記ロック信号５−２は“Ｌ”でありＦＡＮが停止していることを示す。この状態は、前記電源装置２−２は正常と判断する。
【００６９】
ステータス６は、前記ＦＡＮ３−２を駆動させているにもかかわらず、前記ロック信号５−２が“Ｌ”のため、前記ＦＡＮ３−２が回転していない状態である。この状態は、前記ＦＡＮ３−２は故障と判断する。
【００７０】
ステータス７は、前記ＦＡＮ３−２を停止しているにもかかわらず、前記ロック信号５−２が“Ｈ”つまり前記ＦＡＮ３−２が回転していることを示しているため、前記電源装置２−２の間欠発振回路が故障していると判断する。
【００７１】
ステータス８は、前記ＦＡＮ３−２を駆動し前記ロック信号５−２が“Ｈ”であり、前記ＦＡＮ３−２が正常駆動していることを示し、前記電源装置２−２は正常動作と判断する。
【００７２】
ステータス９は、前記ＦＡＮ３−３を停止し、間欠発振動作を行なっている状態である。又、前記ロック信号５−３は“Ｌ”でありＦＡＮが停止していることを示す。この状態は、前記電源装置２−３は正常と判断する。
【００７３】
ステータス１０は、前記ＦＡＮ３−３を駆動させているにもかかわらず、前記ロック信号５−３が“Ｌ”のため、前記ＦＡＮ３−３が回転していない状態である。この状態は、前記ＦＡＮ３−３は故障と判断する。
【００７４】
ステータス１１は、前記ＦＡＮ３−３を停止しているにもかかわらず、前記ロック信号５−３が“Ｈ”つまり前記ＦＡＮ３−３が回転していることを示しているため、前記電源装置２−３の間欠発振回路が故障していると判断する。
【００７５】
ステータス１２は、前記ＦＡＮ３−３を駆動し前記ロック信号５−３が“Ｈ”であり、前記ＦＡＮ３−３が正常駆動していることを示し、前記電源装置２−３は正常動作と判断する。
【００７６】
以上説明したようにＦＡＮのロック信号とＦＡＮのＯＮ／ＯＦＦ信号を確認することで各電源装置の間欠発振回路の故障箇所を特定できる。又、前記故障した電源装置のＦＡＮを強制的に駆動することによりスタンバイ時の電源装置の温度上昇を抑えることができ、安全性が向上する。尚、本拡張例を実現するには、ＣＰＵ１の負荷を考えると、電源制御専用のＣＰＵを設けるのが望ましい。
【００７７】
＜本実施形態の電源制御方法の他の適用例＞
上記例では、ＦＡＮのＯＮ／ＯＦＦ信号とロック信号の組み合わせでＣＰＵのピンを増やすことなく電源装置の間欠発振回路の故障を検知できる説明をした。しかし、故障検知は前記間欠発振回路に限定する必要は無い、他の部品の故障検知や状態検知においてもＣＰＵのピンを増やすことなく故障や異常状態を検出することが出来る。本他の適用では、一例として画像形成装置においてシート材を積載するカセットのシート材の有無の検出を例に説明をする。
【００７８】
（概略ブロック構成例）
図６は、本他の適用例におけるブロック構成例を示す図である。基本的な構成は、前記実施形態１及び２と同じである。異なる点を以下に説明する。
【００７９】
９０はＡＳＩＣであり、画像形成装置８０の制御を行なっている。８３は紙有無センサであり、ＯＲ回路７１に入力される。前記紙有無センサ８３によりカセット８２にシート材８１が積載されていないことが検出されると、ＦＡＮ３を強制的にＯＮさせる。ここで、ＡＳＩＣ９０は、図１及び図４のＣＰＵ１に相当する。尚、ＡＳＩＣ９０の構成も図３Ａと同様である。
【００８０】
（本例を適用する画像処理装置の構成例）
図７は、本例を適用する画像形成装置の構成例を示す図である。
【００８１】
８０は画像形成装置である。８１は印字するためのシート材であり、カセット８２に積載されている。８３は前記カセット８２内に前記シート材８１が積載されているかどうかを検知する紙有無センサである。プリント信号を受信すると、前記画像形成装置８０の給紙及び搬送を行うメインモータ８４が駆動し、続いて給紙パット８５により、前記シート材８１は給紙され、搬送路８６へ給紙ローラ８７により搬送される。給紙されたシート材８１は、搬送ローラ８８により当該シート材８１の先端及び後端を検知するＴＯＰセンサ８９に搬送される。前記ＴＯＰセンサ８９の出力は、前記画像形成装置８０の制御を行うＡＳＩＣ９０へ送信される。
【００８２】
前記ＡＳＩＣ９０は、前記ＴＯＰセンサ８９で当該シート材８１の先端を検知すると静電潜像を形成するためのレーザスキャナユニット９１へ露光開始命令を出力し、前記レーザスキャナユニット９１は、静電潜像を形成するための感光ドラム９２へレーザビーム９３を反射ミラー９４を経由して照射する。静電潜像を描画した前記感光ドラム９２は、トナー容器９５からトナーを現像し、転写ローラ９６により、前記シート材８１に当該トナーを転写させる。９７は、前記転写後に前記感光ドラムに残留したトナーを除去するクリーナブレードであり、９８は、静電潜像を消去し前記感光ドラムのリセットを行う除電装置である。
【００８３】
トナーが転写されたシート材８１は、定着器ユニット９９にて、トナーを当該シート材８１に熱と圧力により定着させ、続いて当該定着したシート材の先端を検出し、排紙の有無を検知する排紙センサ１００に搬送され、排紙ローラ１０１により排紙トレイ１０２へ排出される。
【００８４】
２は前記画像形成装置へ電力を供給するための電源であり、前記ＡＳＩＣ９０や前記メインモータ８４や前記ＦＡＮ３などへ電力を供給する。
【００８５】
＜本実施形態の電源制御を適用する装置の制御部の動作手順例＞
図８は、紙なし及び検知を行なう制御を示したフローチャートである。本実施形態における検知はＦＡＮがＯＦＦの状態でＦＡＮロック信号の確認を行なうため、ＦＡＮがＯＦＦの状態とＯＮの状態に分けてフローチャートを考える。図８では、前記２つの場合に関して説明を行なう。
【００８６】
前記ＦＡＮ３がＯＦＦの状態で、画像形成装置がプリント命令を受信すると（Ｓ１０３）、前記ロック信号５を確認する（Ｓ１０４）。前記ロック信号５により前記ＦＡＮ３が回転（ＯＮ）状態である場合、前記シート材８１が前記カセット８２内に積載されていると判断し、プリントが開始する（Ｓ１０６）。一方、前記ロック信号５により前記ＦＡＮ３がＯＦＦ状態である場合、前記シート材８１が前記カセット８２内に積載されていないと判断し、紙無しエラーと判断する（Ｓ１０５）。
【００８７】
一方、前記ＦＡＮ３がＯＮの状態から給紙を行なった時に、連続プリント中に給紙指示した（Ｓ１０７）にもかかわらず、前記ＴＯＰセンサ８９に前記シート材８１を検知しなかった場合（Ｓ１０８）、前記カセット８２内に前記シート材８１が積載されていなかったか、もしくは、前記シート材８１が積載されていたにもかかわらず給紙されなかったかのどちらかである。前記判断を行なうため、続いて前記ＦＡＮ３をＯＦＦさせ（Ｓ１０９）、前記ロック信号５を確認する（Ｓ１０４）。前記ロック信号５により前記ＦＡＮ３が回転（ＯＮ）状態である場合、前記シート材８１が前記カセット８２内に積載されていないと判断し、紙無しエラーと判断する（Ｓ１０５）。一方、前記ロック信号５により前記ＦＡＮ３が停止（ＯＦＦ）状態である場合、前記シート材８１が前記カセット８２内に積載されている判断し、給紙エラーと判断する（Ｓ１１０）。
【００８８】
本適用例では、積極的にＦＡＮのＯＮ／ＯＦＦ信号とロック信号とを使用して、他のＡＳＩＣ９０の制御に必要な信号（本例では、紙有無センサ８３からの信号）をＦＡＮ３の回転／停止から取得可能とした。
【００８９】
すなわち、本発明を広い技術思想として理解すると、特定の機能部品（本例ではＦＡＮ）で、動作／停止指示の信号と動作／停止検知信号とが対になって制御される場合に、動作／停止指示の信号に検出対象の信号をＯＲ接続することにより、検出対象の状態を新たな信号先及び入力端子無しに知ることを可能とする構成が開示されている。
【００９０】
従って、本実施形態では、電源のＦＡＮに注目して本発明を説明したが、上記条件を有するいかなる機能部品であっても本発明が適用可能であり、これらも本発明に含まれる。
【００９１】
尚、本発明は、複数の機器（例えばホストコンピュータ、インタフェース機器、プリンタなど）から構成されるシステムあるいは統合装置に適用しても、ひとつの機器からなる装置に適用してもよい。
【００９２】
又、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。又、コンピュータが読み出したプログラムコードを実行することにより、前述した実施形態の機能が実現されるだけでなく、そのプログラムコードの指示に基づき、コンピュータ上で稼働しているオペレーティングシステム（OS）などが実際の処理の一部または全部を行い、その処理によって前述した実施形態の機能が実現される場合も含まれることは言うまでもない。
【００９３】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施形態の機能が実現される場合も含まれることは言うまでもない。
【００９４】
本発明を上記記憶媒体に適用する場合、その記憶媒体には、先に説明したフローチャートに対応するプログラムコードが格納されることになる。
【図面の簡単な説明】
【００９５】
【図１】本実施形態の電源制御方法を実現する構成例を示すブロック図である。
【図２】本実施形態の電源装置の詳細な回路例を説明する図である。
【図３Ａ】本実施形態の電源制御方法を実現する装置の制御部の構成例を示すブロック図である。
【図３Ｂ】本実施形態で対象とする制御論理状態を示した図である。
【図３Ｃ】本実施形態の装置の制御部の動作手順例を示すフローチャートである。
【図４】本実施形態の電源制御方法を実現する拡張例を示すブロック図である。
【図５】本実施形態で対象とする制御論理状態を示した図である。
【図６】本実施形態の電源制御方法を実現する他の適用例を示すブロック図である。
【図７】本実施形態の画像形成装置の構成及び動作例を説明するための断面図である。
【図８】本実施形態の画像形成装置の紙有無の判断を行なう場合の動作手順例を示すフローチャートである。
【図９】従来における電源制御方法を実現する構成例を示すブロック図である。
【図１０】従来における電源装置の詳細な回路例を説明する図である。
【符号の説明】
【００９６】
１：ＣＰＵ
２：電源装置
３：ＦＡＮ
４：ＦＡＮ  ＯＮ／ＯＦＦ信号
５：ロック信号
６：負荷
７：負荷電流
８：スタンバイパルス信号
８０：画像形成装置
８１：シート材
８２：カセット
８３：紙有無センサ
【図１】
2007189879.tif 000003
【図２】
2007189879.tif 000004
【図３Ａ】
2007189879.tif 000005
【図３Ｂ】
2007189879.tif 000006
【図３Ｃ】
2007189879.tif 000007
【図４】
2007189879.tif 000008
【図５】
2007189879.tif 000009
【図６】
2007189879.tif 000010
【図７】
2007189879.tif 000011
【図８】
2007189879.tif 000012
【図９】
2007189879.tif 000013
【図１０】
2007189879.tif 000014